(57)【要約】【課題】  固体光源から光が出射されている状態で、ユーザが筐体に近づくことを抑制することを可能とする投写型映像表示装置を提供する。【解決手段】  投写型映像表示装置１００は、固体光源１１１と、固体光源１１１から出射される光を変調するＤＭＤ５００と、ＤＭＤ５００から出射される光を投写面上に投写する投写ユニット１５０とを収容する筐体２００を備える。投写型映像表示装置１００は、筐体２００の両側壁のうち、少なくともいずれか一方の側壁に設けられたケーブル端子１９０と、ケーブル端子１９０が設けられた側壁から所定範囲を含む範囲を検出範囲として、前記検出範囲に物体が入ったことを検出するセンサ６００と、前記検出範囲に物体が入ったことが検出された場合に、前記固体光源への電力をＯＦＦにする電力制御部７４０とを備える。【選択図】  図６
2010230897.tif 000002
【特許請求の範囲】
【請求項１】
固体光源と、前記固体光源から出射される光を変調する光変調素子と、前記光変調素子から出射される光を投写面上に投写する投写ユニットとを収容する筐体を備える投写型映像表示装置であって、
前記投写面に平行な水平方向において、前記筐体の両側壁のうち、少なくともいずれか一方の側壁に設けられたケーブル端子と、
前記ケーブル端子が設けられた側壁から所定範囲を含む範囲を検出範囲として、前記検出範囲に物体が入ったことを検出する検出部と、
前記検出範囲に物体が入ったことが検出された場合に、前記固体光源から出射される光を遮光する遮光部とを備えることを特徴とする投写型映像表示装置。
【請求項２】
前記投写面に平行な水平方向における前記筐体のサイズは、前記投写面に平行な水平方向における前記投写面のサイズと略等しいことを特徴とする請求項１に記載の投写型映像表示装置。
【請求項３】
前記投写型映像表示装置は、前記投写面と略平行な配置面に沿って配置されており、
前記筐体は、前記配置面に対向する投写側側壁を有しており、
前記検出範囲は、前記投写側側壁からの距離が前記投写面の法線方向における前記筐体のサイズと同じである範囲を含むことを特徴とする請求項１に記載の投写型映像表示装置。
【発明の詳細な説明】
【技術分野】
【０００１】
本発明は、固体光源と、固体光源から出射される光を変調する光変調素子と、光変調素子から出射される光を投写面上に投写する投写ユニットとを備える投写型映像表示装置に関する。
【背景技術】
【０００２】
近年、レーザ光源などの固体光源と、固体光源から出射された光を変調する光変調素子と、光変調素子から出射された光を投写面上に投写する投写ユニットとを収容する筐体を有する投写型映像表示装置が知られている。
【０００３】
ここで、投写面上に映像を大きく表示するためには、投写ユニットと投写面との距離を長くとる必要がある。これに対して、投写ユニットから出射される光を投写面側に反射する反射ミラーを利用して、投写ユニットと投写面との距離の短縮を図った投写型表示システムが提案されている（例えば、特許文献１）。
【０００４】
また、電源端子や映像端子などのケーブル端子を有する投写型映像表示装置も提案されている（例えば、特許文献２）。
【先行技術文献】
【特許文献】
【０００５】
【特許文献１】特開２００６−２３５５１６号公報
【特許文献２】特開２００７−２３３０２８号公報
【発明の概要】
【発明が解決しようとする課題】
【０００６】
ところで、固体光源としてレーザ光源を用いるケースでは、固体光源から光が出射されている状態で、ユーザが投写型映像表示装置の筐体に近づくことは好ましくない。
【０００７】
そこで、本発明は、上述した課題を解決するためになされたものであり、固体光源から光が出射されている状態で、ユーザが筐体に近づくことを抑制することを可能とする投写型映像表示装置を提供することを目的とする。
【課題を解決するための手段】
【０００８】
第１の特徴に係る投写型映像表示装置は、固体光源（赤固体光源１１１Ｒ、緑固体光源１１１Ｇ、青固体光源１１１Ｂ）と、前記固体光源から出射される光を変調する光変調素子（ＤＭＤ５００Ｒ、ＤＭＤ５００Ｇ、ＤＭＤ５００Ｂ）と、前記光変調素子から出射される光を投写面上に投写する投写ユニット（投写ユニット１５０）とを収容する筐体（筐体２００）を備える。投写型映像表示装置は、前記投写面に平行な水平方向において、前記筐体の両側壁のうち、少なくともいずれか一方の側壁に設けられたケーブル端子（ケーブル端子１９０）と、前記ケーブル端子が設けられた側壁から所定範囲を含む範囲を検出範囲として、前記検出範囲に物体が入ったことを検出する検出部（センサ６００）と、前記検出範囲に物体が入ったことが検出された場合に、前記固体光源から出射される光を遮光する遮光部（電力制御部７４０）とを備える。
【０００９】
第１の特徴において、前記投写面に平行な水平方向における前記筐体のサイズは、前記投写面に平行な水平方向における前記投写面のサイズと略等しい。
【００１０】
第１の特徴において、前記投写型映像表示装置は、前記投写面と略平行な配置面に沿って配置される。前記筐体は、前記配置面に対向する投写側側壁を有する。前記検出範囲は、前記投写側側壁からの距離が前記投写面の法線方向における前記筐体のサイズと等しい範囲を含む。
【発明の効果】
【００１１】
本発明によれば、固体光源から光が出射されている状態で、ユーザが筐体に近づくことを抑制することを可能とする投写型映像表示装置を提供することができる。
【図面の簡単な説明】
【００１２】
【図１】第１実施形態に係る投写型映像表示装置１００を示す図である。
【図２】第１実施形態に係る投写型映像表示装置１００を側方から見た図である。
【図３】第１実施形態に係る投写型映像表示装置１００を上方から見た図である。
【図４】第１実施形態に係る光源ユニット１１０を示す図である。
【図５】第１実施形態に係る色分離合成ユニット１４０及び投写ユニット１５０を示す図である。
【図６】第１実施形態に係るセンサ６００の検出範囲を説明するための図である。
【図７】第１実施形態に係る制御ユニット７００を示すブロック図である。
【図８】変更例２に係る色分離合成ユニット１４０及び投写ユニット１５０を示す図である。
【図９】第２実施形態に係る投写型映像表示装置１００を側方から見た図である。
【発明を実施するための形態】
【００１３】
以下において、本発明の実施形態に係る投写型映像表示装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
［実施形態の概要］
実施形態に係る投写型映像表示装置は、固体光源と、固体光源から出射される光を変調する光変調素子と、光変調素子から出射される光を投写面上に投写する投写ユニットとを収容する筐体を備える。投写型映像表示装置は、投写面に平行な水平方向において、筐体の両側壁のうち、少なくともいずれか一方の側壁に設けられたケーブル端子と、ケーブル端子が設けられた側壁から所定範囲を含む範囲を検出範囲として、検出範囲に物体が入ったことを検出する検出部と、検出範囲に物体が入ったことが検出された場合に、固体光源から出射される光を遮光する遮光部とを備える。
【００１６】
実施形態では、ケーブル端子は、筐体の両側壁のうち、少なくともいずれか一方の側壁に設けられる。ユーザが筐体の前面側側壁に近づく可能性が低減される。例えば、ケーブルをケーブル端子から抜くケースやケーブルをケーブル端子に挿すケースにおいて、ユーザが筐体の前面側側壁に近づく必要がない。
【００１７】
実施形態では、ケーブル端子が設けられた側壁から所定範囲を含む範囲を検出範囲として、検出範囲に物体が入ったことが検出された場合に、固体光源から出射される光が遮光される。
【００１８】
従って、固体光源から光が出射されている状態で、ユーザが筐体に近づくことを抑制することができる。例えば、ケーブルをケーブル端子から抜くケースやケーブルをケーブル端子に挿すケースにおいて、固体光源から光が出射されている状態で、ユーザが筐体に近づくことを抑制することができる。
【００１９】
［第１実施形態］
（投写型映像表示装置の構成）
以下において、第１実施形態に係る投写型映像表示装置の構成について、図面を参照しながら説明する。図１は、第１実施形態に係る投写型映像表示装置１００を示す斜視図である。図２は、第１実施形態に係る投写型映像表示装置１００を側方から見た図である。
【００２０】
図１及び図２に示すように、投写型映像表示装置１００は、筐体２００を有しており、投写面３００に映像を投写する。投写型映像表示装置１００は、第１配置面（図２に示す壁面４２０）と第１配置面に略垂直な第２配置面（図２に示す床面４１０）とに沿って配置される。
【００２１】
ここで、第１実施形態では、投写型映像表示装置１００が壁面に設けられた投写面３００に映像光を投写するケースについて例示する（壁面投写）。このようなケースにおける筐体２００の配置を壁面投写配置と称する。第１実施形態では、投写面３００と略平行な第１配置面は壁面４２０である。
【００２２】
第１実施形態では、投写面３００に平行な水平方向を“幅方向”と称する。投写面３００の法線方向を“奥行き方向”と称する。幅方向及び奥行き方向の双方に直交する方向を“高さ方向”と称する。
【００２３】
筐体２００は、略直方体形状を有する。奥行き方向における筐体２００のサイズ及び高さ方向における筐体２００のサイズは、幅方向における筐体２００のサイズよりも小さい。奥行き方向における筐体２００のサイズは、反射ミラー（図２に示す凹面ミラー１５２）から投写面３００までの投写距離と略等しい。幅方向において、筐体２００のサイズは、投写面３００のサイズと略等しい。高さ方向において、筐体２００のサイズは、投写面３００が設けられる位置に応じて定められる。
【００２４】
具体的には、筐体２００は、投写面側側壁２１０と、前面側側壁２２０と、底面板２３０と、天板２４０と、第１側面側側壁２５０と、第２側面側側壁２６０とを有する。
【００２５】
投写面側側壁２１０は、投写面３００と略平行な第１配置面（第１実施形態では、壁面４２０）と対向する板状の部材である。前面側側壁２２０は、投写面側側壁２１０の反対側に設けられた板状の部材である。底面板２３０は、投写面３００と略平行な第１配置面以外の第２配置面（第１実施形態では、床面４１０）と対向する板状の部材である。天板２４０は、底面板２３０の反対側に設けられた板状の部材である。第１側面側側壁２５０及び第２側面側側壁２６０は、幅方向において筐体２００の両端を形成する板状の部材である。
【００２６】
筐体２００は、光源ユニット１１０と、電源ユニット１２０と、冷却ユニット１３０と、色分離合成ユニット１４０と、投写ユニット１５０とを収容する。投写面側側壁２１０は、投写面側凹部１６０Ａ及び投写面側凹部１６０Ｂを有する。前面側側壁２２０は、前面側凸部１７０を有する。天板２４０は、天板凹部１８０を有する。第１側面側側壁２５０は、ケーブル端子１９０を有する。
【００２７】
光源ユニット１１０は、複数の固体光源（図４に示す固体光源１１１）によって構成されるユニットである。各固体光源は、ＬＤ（Ｌａｓｅｒ  Ｄｉｏｄｅ）などの光源である。第１実施形態では、光源ユニット１１０には、赤成分光Ｒを出射する赤固体光源（図４に示す赤固体光源１１１Ｒ）、緑成分光Ｇを出射する緑固体光源（図４に示す緑固体光源１１１Ｇ）、青成分光Ｂを出射する青固体光源（図４に示す青固体光源１１１Ｂ）を有する。光源ユニット１１０の詳細については後述する（図４を参照）。
【００２８】
電源ユニット１２０は、投写型映像表示装置１００に電力を供給するユニットである。例えば、電源ユニット１２０は、光源ユニット１１０及び冷却ユニット１３０に電力を供給する。
【００２９】
冷却ユニット１３０は、光源ユニット１１０に設けられた複数の固体光源を冷却するユニットである。具体的には、冷却ユニット１３０は、各固体光源を載置する冷却ジャケット（図４に示す冷却ジャケット１３１）を冷却することによって、各固体光源を冷却する。
【００３０】
なお、冷却ユニット１３０は、各固体光源以外にも、電源ユニット１２０や光変調素子（後述するＤＭＤ５００）を冷却するように構成されている。
【００３１】
色分離合成ユニット１４０は、赤固体光源から出射された赤成分光Ｒ、緑固体光源から出射された緑成分光Ｇ、青固体光源から出射された青成分光Ｂを合成する。また、色分離合成ユニット１４０は、赤成分光Ｒ、緑成分光Ｇ及び青成分光Ｂを含む合成光を分離して、赤成分光Ｒ、緑成分光Ｇ及び青成分光Ｂを変調する。さらに、色分離合成ユニット１４０は、赤成分光Ｒ、緑成分光Ｇ及び青成分光Ｂを再合成して、映像光を投写ユニット１５０に出射する。色分離合成ユニット１４０の詳細については後述する（図５を参照）
投写ユニット１５０は、色分離合成ユニット１４０から出射された光（映像光）を投写面３００に投写する。具体的には、投写ユニット１５０は、色分離合成ユニット１４０から出射された光を投写面３００上に投写する投写レンズ群（図５に示す投写レンズ群１５１）と、投写レンズ群から出射された光を投写面３００側に反射する反射ミラー（図５に示す凹面ミラー１５２）とを有する。投写ユニット１５０の詳細については後述する。
【００３２】
投写面側凹部１６０Ａ及び投写面側凹部１６０Ｂは、投写面側側壁２１０に設けられており、筐体２００の内側に窪む形状を有する。投写面側凹部１６０Ａ及び投写面側凹部１６０Ｂは、筐体２００の端まで延びている。投写面側凹部１６０Ａ及び投写面側凹部１６０Ｂには、筐体２００の内側に連通する通気口が設けられる。
【００３３】
第１実施形態では、投写面側凹部１６０Ａ及び投写面側凹部１６０Ｂは、筐体２００の幅方向に沿って延びている。例えば、投写面側凹部１６０Ａには、筐体２００の外側の空気を筐体２００の内側に入れるための吸気口が通気口として設けられる。投写面側凹部１６０Ｂには、筐体２００の内側の空気を筐体２００の外側に出すための排気口が通気口として設けられる。
【００３４】
前面側凸部１７０は、前面側側壁２２０に設けられており、筐体２００の外側に張り出す形状を有する。前面側凸部１７０は、筐体２００の幅方向において、前面側側壁２２０の略中央に設けられる。筐体２００の内側において前面側凸部１７０によって形成される空間には、投写ユニット１５０に設けられた反射ミラー（図５に示す凹面ミラー１５２）が収容される。
【００３５】
天板凹部１８０は、天板２４０に設けられており、筐体２００の内側に窪む形状を有する。天板凹部１８０は、投写面３００側に向けて下る傾斜面１８１を有する。傾斜面１８１は、投写ユニット１５０から出射された光を投写面３００側に透過（投写）する透過領域を有する。
【００３６】
ケーブル端子１９０は、第１側面側側壁２５０に設けられており、電源端子や映像端子などの端子である。なお、ケーブル端子１９０は、第２側面側側壁２６０に設けられていてもよい。
【００３７】
（筐体の幅方向における各ユニットの配置）
以下において、第１実施形態に係る幅方向における各ユニットの配置について、図面を参照しながら説明する。図３は、第１実施形態に係る投写型映像表示装置１００を上方から見た図である。
【００３８】
図３に示すように、投写ユニット１５０は、投写面３００に平行な水平方向（筐体２００の幅方向）において、筐体２００の略中央に配置される。
【００３９】
光源ユニット１１０及び冷却ユニット１３０は、筐体２００の幅方向において、投写ユニット１５０と並んで配置される。具体的には、光源ユニット１１０は、筐体２００の幅方向において、投写ユニット１５０の一方（第２側面側側壁２６０側）に並んで配置される。冷却ユニット１３０は、筐体２００の幅方向において、投写ユニット１５０の他方（第１側面側側壁２５０側）に並んで配置される。
【００４０】
電源ユニット１２０は、筐体２００の幅方向において、投写ユニット１５０と並んで配置される。具体的には、電源ユニット１２０は、筐体２００の幅方向において、投写ユニット１５０に対して光源ユニット１１０側に並んで配置される。電源ユニット１２０は、投写ユニット１５０と光源ユニット１１０との間に配置されることが好ましい。
【００４１】
（光源ユニットの構成）
以下において、第１実施形態に係る光源ユニットの構成について、図面を参照しながら説明する。図４は、第１実施形態に係る光源ユニット１１０を示す図である。
【００４２】
図４に示すように、光源ユニット１１０は、複数の赤固体光源１１１Ｒ、複数の緑固体光源１１１Ｇ及び複数の青固体光源１１１Ｂによって構成される。
【００４３】
赤固体光源１１１Ｒは、上述したように、赤成分光Ｒを出射するＬＤなどの赤固体光源である。赤固体光源１１１Ｒは、ヘッド１１２Ｒを有しており、ヘッド１１２Ｒには、光ファイバー１１３Ｒが接続される。
【００４４】
各赤固体光源１１１Ｒのヘッド１１２Ｒに接続された光ファイバー１１３Ｒは、バンドル部１１４Ｒで束ねられる。すなわち、各赤固体光源１１１Ｒから出射された光は、各光ファイバー１１３Ｒによって伝達されて、バンドル部１１４Ｒに集められる。
【００４５】
赤固体光源１１１Ｒは、冷却ジャケット１３１Ｒに載置される。例えば、赤固体光源１１１Ｒは、ネジ止めなどによって冷却ジャケット１３１Ｒに固定される。赤固体光源１１１Ｒは、冷却ジャケット１３１Ｒによって冷却される。
【００４６】
緑固体光源１１１Ｇは、上述したように、緑成分光Ｇを出射するＬＤなどの緑固体光源である。緑固体光源１１１Ｇは、ヘッド１１２Ｇを有しており、ヘッド１１２Ｇには、光ファイバー１１３Ｇが接続される。
【００４７】
各緑固体光源１１１Ｇのヘッド１１２Ｇに接続された光ファイバー１１３Ｇは、バンドル部１１４Ｇで束ねられる。すなわち、各緑固体光源１１１Ｇから出射された光は、各光ファイバー１１３Ｇによって伝達されて、バンドル部１１４Ｇに集められる。
【００４８】
緑固体光源１１１Ｇは、冷却ジャケット１３１Ｇに載置される。例えば、緑固体光源１１１Ｇは、ネジ止めなどによって冷却ジャケット１３１Ｇに固定される。緑固体光源１１１Ｇは、冷却ジャケット１３１Ｇによって冷却される。
【００４９】
青固体光源１１１Ｂは、上述したように、青成分光Ｂを出射するＬＤなどの青固体光源である。青固体光源１１１Ｂは、ヘッド１１２Ｂを有しており、ヘッド１１２Ｂには、光ファイバー１１３Ｂが接続される。
【００５０】
各青固体光源１１１Ｂのヘッド１１２Ｂに接続された光ファイバー１１３Ｂは、バンドル部１１４Ｂで束ねられる。すなわち、各青固体光源１１１Ｂから出射された光は、各光ファイバー１１３Ｂによって伝達されて、バンドル部１１４Ｂに集められる。
【００５１】
青固体光源１１１Ｂは、冷却ジャケット１３１Ｂに載置される。例えば、青固体光源１１１Ｂは、ネジ止めなどによって冷却ジャケット１３１Ｂに固定される。青固体光源１１１Ｂは、冷却ジャケット１３１Ｂによって冷却される。
【００５２】
（色分離合成ユニット及び投写ユニットの構成）
以下において、第１実施形態に係る色分離合成ユニット及び投写ユニットの構成について、図面を参照しながら説明する。図５は、第１実施形態に係る色分離合成ユニット１４０及び投写ユニット１５０を示す図である。第１実施形態では、ＤＭＤ（Ｄｉｇｉｔａｌ  Ｍｉｃｒｏｍｉｒｒｏｒ  Ｄｅｖｉｃｅ）に対応する投写型映像表示装置１００を例示する。
【００５３】
図５に示すように、色分離合成ユニット１４０は、第１ユニット１４１と、第２ユニット１４２とを有する。
【００５４】
第１ユニット１４１は、赤成分光Ｒ、緑成分光Ｇ及び青成分光Ｂを合成して、赤成分光Ｒ、緑成分光Ｇ及び青成分光Ｂを含む合成光を第２ユニット１４２に出射する。
【００５５】
具体的には、第１ユニット１４１は、複数のロッドインテグレータ（ロッドインテグレータ１０Ｒ、ロッドインテグレータ１０Ｇ及びロッドインテグレータ１０Ｂ）と、レンズ群（レンズ２１Ｒ、レンズ２１Ｇ、レンズ２１Ｂ、レンズ２２、レンズ２３）と、ミラー群（ミラー３１、ミラー３２、ミラー３３、ミラー３４及びミラー３５）とを有する。
【００５６】
ロッドインテグレータ１０Ｒは、光入射面と、光出射面と、光入射面の外周から光出射面の外周に亘って設けられる光反射側面とを有する。ロッドインテグレータ１０Ｒは、バンドル部１１４Ｒで束ねられた光ファイバー１１３Ｒから出射される赤成分光Ｒを均一化する。すなわち、ロッドインテグレータ１０Ｒは、光反射側面で赤成分光Ｒを反射することによって、赤成分光Ｒを均一化する。
【００５７】
ロッドインテグレータ１０Ｇは、光入射面と、光出射面と、光入射面の外周から光出射面の外周に亘って設けられる光反射側面とを有する。ロッドインテグレータ１０Ｇは、バンドル部１１４Ｇで束ねられた光ファイバー１１３Ｇから出射される緑成分光Ｇを均一化する。すなわち、ロッドインテグレータ１０Ｇは、光反射側面で緑成分光Ｇを反射することによって、緑成分光Ｇを均一化する。
【００５８】
ロッドインテグレータ１０Ｂは、光入射面と、光出射面と、光入射面の外周から光出射面の外周に亘って設けられる光反射側面とを有する。ロッドインテグレータ１０Ｂは、バンドル部１１４Ｂで束ねられた光ファイバー１１３Ｂから出射される青成分光Ｂを均一化する。すなわち、ロッドインテグレータ１０Ｂは、光反射側面で青成分光Ｂを反射することによって、青成分光Ｂを均一化する。
【００５９】
なお、ロッドインテグレータ１０Ｒ、ロッドインテグレータ１０Ｇ及びロッドインテグレータ１０Ｂは、光反射側面がミラー面によって構成された中空ロッドであってもよい。また、ロッドインテグレータ１０Ｒ、ロッドインテグレータ１０Ｇ及びロッドインテグレータ１０Ｂは、ガラスなどによって構成された中実ロッドであってもよい。
【００６０】
ここで、ロッドインテグレータ１０Ｒ、ロッドインテグレータ１０Ｇ及びロッドインテグレータ１０Ｂは、投写面３００に略平行な水平方向（筐体２００の幅方向）に沿って延びる柱状形状を有する。すなわち、ロッドインテグレータ１０Ｒは、ロッドインテグレータ１０Ｒの長手方向が筐体２００の略幅方向に沿うように配置される。同様に、ロッドインテグレータ１０Ｇ及びロッドインテグレータ１０Ｂは、ロッドインテグレータ１０Ｇ及びロッドインテグレータ１０Ｂの長手方向が筐体２００の略幅方向に沿うように配置される。
【００６１】
レンズ２１Ｒは、赤成分光ＲがＤＭＤ５００Ｒに照射されるように、赤成分光Ｒを略平行光化するレンズである。レンズ２１Ｇは、緑成分光ＧがＤＭＤ５００Ｇに照射されるように、緑成分光Ｇを略平行光化するレンズである。レンズ２１Ｂは、青成分光ＢがＤＭＤ５００Ｂに照射されるように、青成分光Ｂを略平行光化するレンズである。
【００６２】
レンズ２２は、赤成分光Ｒ及び緑成分光Ｇの拡大を抑制しながら、ＤＭＤ５００Ｒ及びＤＭＤ５００Ｇ上に赤成分光Ｒ及び緑成分光Ｇを略結像するためのレンズである。レンズ２３は、青成分光Ｂの拡大を抑制しながら、青成分光ＢをＤＭＤ５００Ｂに略結像するためのレンズである。
【００６３】
ミラー３１は、ロッドインテグレータ１０Ｒから出射された赤成分光Ｒを反射する。ミラー３２は、ロッドインテグレータ１０Ｇから出射された緑成分光Ｇを反射して、赤成分光Ｒを透過するダイクロイックミラーである。ミラー３３は、ロッドインテグレータ１０Ｂから出射された青成分光Ｂを透過して、赤成分光Ｒ及び緑成分光Ｇを反射するダイクロイックミラーである。
【００６４】
ミラー３４は、赤成分光Ｒ、緑成分光Ｇ及び青成分光Ｂを反射する。ミラー３５は、赤成分光Ｒ、緑成分光Ｇ及び青成分光Ｂを第２ユニット１４２側に反射する。なお、図５では、説明を簡易にするために、各構成が平面図で示されているが、ミラー３５は、赤成分光Ｒ、緑成分光Ｇ及び青成分光Ｂを高さ方向において斜めに反射する。
【００６５】
第２ユニット１４２は、赤成分光Ｒ、緑成分光Ｇ及び青成分光Ｂを含む合成光を分離して、赤成分光Ｒ、緑成分光Ｇ及び青成分光Ｂを変調する。第２ユニット１４２は、続いて、赤成分光Ｒ、緑成分光Ｇ及び青成分光Ｂを再合成して、映像光を投写ユニット１５０側に出射する。
【００６６】
具体的には、第２ユニット１４２は、レンズ４０と、プリズム５０と、プリズム６０と、プリズム７０と、プリズム８０と、プリズム９０と、複数のＤＭＤ；Ｄｉｇｉｔａｌ  Ｍｉｃｒｏｍｉｒｒｏｒ  Ｄｅｖｉｃｅ（ＤＭＤ５００Ｒ、ＤＭＤ５００Ｇ及びＤＭＤ５００Ｂ）とを有する。
【００６７】
レンズ４０は、各色成分光が各ＤＭＤに照射されるように、第１ユニット１４１から出射された光を略平行光化するレンズである。
【００６８】
プリズム５０は、透光性部材によって構成されており、面５１及び面５２を有する。プリズム５０（面５１）とプリズム６０（面６１）との間にはエアギャップが設けられており、第１ユニット１４１から出射される光が面５１に入射する角度（入射角）が全反射角よりも大きいため、第１ユニット１４１から出射される光は面５１で反射される。一方で、プリズム５０（面５２）とプリズム７０（面７１）との間にはエアギャップが設けられるが、第１ユニット１４１から出射される光が面５２に入射する角度（入射角）が全反射角よりも小さいため、面５１で反射された光は面５２を透過する。
【００６９】
プリズム６０は、透光性部材によって構成されており、面６１を有する。
【００７０】
プリズム７０は、透光性部材によって構成されており、面７１及び面７２を有する。プリズム５０（面５２）とプリズム７０（面７１）との間にはエアギャップが設けられており、面７２で反射された青成分光Ｂ及びＤＭＤ５００Ｂから出射された青成分光Ｂが面７１に入射する角度（入射角）が全反射角よりも大きいため、面７２で反射された青成分光Ｂ及びＤＭＤ５００Ｂから出射された青成分光Ｂは面７１で反射される。
【００７１】
面７２は、赤成分光Ｒ及び緑成分光Ｇを透過して、青成分光Ｂを反射するダイクロイックミラー面である。従って、面５１で反射された光のうち、赤成分光Ｒ及び緑成分光Ｇは面７２を透過し、青成分光Ｂは面７２で反射される。面７１で反射された青成分光Ｂは面７２で反射される。
【００７２】
プリズム８０は、透光性部材によって構成されており、面８１及び面８２を有する。プリズム７０（面７２）とプリズム８０（面８１）との間にはエアギャップが設けられており、面８１を透過して面８２で反射された赤成分光Ｒ及びＤＭＤ５００Ｒから出射された赤成分光Ｒが再び面８１に入射する角度（入射角）が全反射角よりも大きいため、面８１を透過して面８２で反射された赤成分光Ｒ及びＤＭＤ５００Ｒから出射された赤成分光Ｒは面８１で反射される。一方で、ＤＭＤ５００Ｒから出射されて面８１で反射された後に面８２で反射された赤成分光Ｒが再び面８１に入射する角度（入射角）が全反射角よりも小さいため、ＤＭＤ５００Ｒから出射されて面８１で反射された後に面８２で反射された赤成分光Ｒは面８１を透過する。
【００７３】
面８２は、緑成分光Ｇを透過して、赤成分光Ｒを反射するダイクロイックミラー面である。従って、面８１を透過した光のうち、緑成分光Ｇは面８２を透過し、赤成分光Ｒは面８２で反射される。面８１で反射された赤成分光Ｒは面８２で反射される。ＤＭＤ５００Ｇから出射された緑成分光Ｇは面８２を透過する。
【００７４】
ここで、プリズム７０は、赤成分光Ｒ及び緑成分光Ｇを含む合成光と青成分光Ｂとを面７２によって分離する。プリズム８０は、赤成分光Ｒと緑成分光Ｇとを面８２によって分離する。すなわち、プリズム７０及びプリズム８０は、各色成分光を分離する色分離素子として機能する。
【００７５】
なお、第１実施形態では、プリズム７０の面７２のカットオフ波長は、緑色に相当する波長帯と青色に相当する波長帯との間に設けられる。プリズム８０の面８２のカットオフ波長は、赤色に相当する波長帯と緑色に相当する波長帯との間に設けられる。
【００７６】
一方で、プリズム７０は、赤成分光Ｒ及び緑成分光Ｇを含む合成光と青成分光Ｂとを面７２によって合成する。プリズム８０は、赤成分光Ｒと緑成分光Ｇとを面８２によって合成する。すなわち、プリズム７０及びプリズム８０は、各色成分光を合成する色合成素子として機能する。
【００７７】
プリズム９０は、透光性部材によって構成されており、面９１を有する。面９１は、緑成分光Ｇを透過するように構成されている。なお、ＤＭＤ５００Ｇへ入射する緑成分光Ｇ及びＤＭＤ５００Ｇから出射された緑成分光Ｇは面９１を透過する。
【００７８】
ＤＭＤ５００Ｒ、ＤＭＤ５００Ｇ及びＤＭＤ５００Ｂは、複数の微少ミラーによって構成されており、複数の微少ミラーは可動式である。各微少ミラーは、基本的に１画素に相当する。ＤＭＤ５００Ｒは、各微少ミラーの角度を変更することによって、投写ユニット１５０側に赤成分光Ｒを反射するか否かを切り替える。同様に、ＤＭＤ５００Ｇ及びＤＭＤ５００Ｂは、各微少ミラーの角度を変更することによって、投写ユニット１５０側に緑成分光Ｇ及び青成分光Ｂを反射するか否かを切り替える。
【００７９】
投写ユニット１５０は、投写レンズ群１５１と、凹面ミラー１５２とを有する。
【００８０】
投写レンズ群１５１は、色分離合成ユニット１４０から出射された光（映像光）を凹面ミラー１５２側に出射する。
【００８１】
凹面ミラー１５２は、投写レンズ群１５１から出射された光（映像光）を反射する。凹面ミラー１５２は、映像光を集光した上で、映像光を広角化する。例えば、凹面ミラー１５２は、投写レンズ群１５１側に凹面を有する非球面ミラーである。
【００８２】
凹面ミラー１５２で集光された映像光は、天板２４０に設けられた天板凹部１８０の傾斜面１８１に設けられた透過領域を透過する。傾斜面１８１に設けられた透過領域は、凹面ミラー１５２によって映像光が集光される位置近傍に設けられることが好ましい。
【００８３】
凹面ミラー１５２は、上述したように、前面側凸部１７０によって形成される空間に収容される。例えば、凹面ミラー１５２は、前面側凸部１７０の内側に固定されることが好ましい。また、前面側凸部１７０の内側面の形状は、凹面ミラー１５２に沿った形状であることが好ましい。
【００８４】
（センサの検出範囲）
以下において、第１実施形態に係るセンサの検出範囲について、図面を参照しながら説明する。図６は、第１実施形態に係るセンサの検出範囲を示す図である。なお、図６は、投写型映像表示装置１００を上方から見た図である。
【００８５】
図６に示すように、投写型映像表示装置１００は、センサ６００（センサ６００Ａ及びセンサ６００Ｂ）を有する。例えば、センサ６００Ａは、第１側面側側壁２５０側に設けられており、第１側面側側壁２５０から所定範囲を含む範囲を検出範囲として、検出範囲に入った物体を検出する。同様に、センサ６００Ｂは、第２側面側側壁２６０側に設けられており、第２側面側側壁２６０から所定範囲を含む範囲を検出範囲として、検出範囲に入った物体を検出する。
【００８６】
なお、所定範囲とは、所定範囲内にユーザが近づいた場合に、透過領域から漏れる光をユーザが見てしまう恐れがある範囲である。
【００８７】
具体的には、センサ６００Ａ又はセンサ６００Ｂの検出範囲は、投写面側側壁２１０からの距離が投写面３００の法線方向（奥行き方向）における筐体２００のサイズと同じである範囲を含む。
【００８８】
すなわち、センサ６００Ａは、投写面側側壁２１０と第１側面側側壁２５０とによって構成される角部を中心として、筐体２００の奥行き(半径ｒ)の範囲を少なくとも検出範囲として含む。同様に、センサ６００Ｂは、投写面側側壁２１０と第２側面側側壁２６０とによって構成される角部を中心として、筐体２００の奥行き(半径ｒ)の範囲を検出範囲として含む。
【００８９】
なお、第１実施形態では、センサ６００Ａ及びセンサ６００Ｂの検出範囲は、筐体２００を含む。
【００９０】
（投写型映像表示装置の機能）
以下において、第１実施形態に係る投写型映像表示装置の機能について、図面を参照しながら説明する。図７は、第１実施形態に係る投写型映像表示装置１００に設けられた制御ユニット７００を示すブロック図である。
【００９１】
ここで、制御ユニット７００は、映像入力信号を映像出力信号に変換して、映像出力信号を出力する。映像入力信号は、フレーム毎の信号であり、赤入力信号Ｒｉｎ、緑入力信号Ｇｉｎ及び青入力信号Ｂｉｎを含む。映像出力信号は、フレーム毎の信号であり、赤出力信号Ｒｏｕｔ、緑出力信号Ｇｏｕｔ及び青出力信号Ｂｏｕｔを含む。
【００９２】
図７に示すように、制御ユニット７００は、映像信号受付部７１０と、素子制御部７２０と、取得部７３０と、電力制御部７４０とを有する。
【００９３】
映像信号受付部７１０は、ＤＶＤやＴＶチューナなどの外部装置から映像入力信号を受付ける。
【００９４】
素子制御部７２０は、映像入力信号を映像出力信号に変換する。また、素子制御部７２０は、映像出力信号に基づいて、ＤＭＤ５００を制御する。
【００９５】
取得部７３０は、センサ６００の検出範囲に物が入った場合に、センサ６００の検出範囲に物が入ったことを示す情報をセンサ６００から取得する。
【００９６】
電力制御部７４０は、光源ユニット１１０に設けられた固体光源１１１への電力を制御する。具体的には、電力制御部７４０は、センサ６００の検出範囲に物が入ったことを示す情報が取得された場合に、固体光源１１１への入力電力をＯＦＦにする。
【００９７】
すなわち、第１実施形態では、電力制御部７４０は、検出範囲に物体が入ったことが検出された場合に、固体光源１１１から出射される光を遮光する遮光部を構成する。
【００９８】
なお、電力制御部７４０は、投写型映像表示装置１００全体への電力をＯＦＦにしてもよい。
【００９９】
（作用及び効果）
第１実施形態では、ケーブル端子１９０は、筐体２００の幅方向における筐体２００の両側壁（第１側面側側壁２５０及び第２側面側側壁２６０）のうち、少なくともいずれか一方の側壁に設けられる。従って、ユーザが筐体２００の前面側側壁２２０に近づく可能性が低減される。例えば、ケーブルをケーブル端子１９０から抜くケースやケーブルをケーブル端子１９０に挿すケースにおいて、ユーザが筐体２００の前面側側壁２２０に近づく必要がない。
【０１００】
実施形態では、ケーブル端子１９０が設けられた側壁から所定範囲を含む範囲を検出範囲として、検出範囲に物体が入ったことが検出された場合に、固体光源１１１から出射される光が遮光される。
【０１０１】
従って、固体光源１１１から光が出射されている状態で、ユーザが筐体２００に近づくことを抑制することができる。例えば、ケーブルをケーブル端子１９０から抜くケースやケーブルをケーブル端子１９０に挿すケースにおいて、固体光源１１１から光が出射されている状態で、ユーザが筐体２００に近づくことを抑制することができる。
【０１０２】
［変更例１］
以下において、第１実施形態の変更例１について説明する。以下においては、第１実施形態との相違点について主として説明する。
【０１０３】
具体的には、第１実施形態では、電力制御部７４０が遮光部を構成する。これに対して、変更例１では、素子制御部７２０が遮光部を構成する。
【０１０４】
例えば、素子制御部７２０は、センサ６００の検出範囲に物が入ったことを示す情報が取得された場合に、映像入力信号にかかわらずに、映像出力信号を黒表示用の信号に変換する。すなわち、固体光源１１１から出射される光は、ＤＭＤ５００の制御によって遮光される。
【０１０５】
このように、変更例１では、素子制御部７２０は、検出範囲に物体が入ったことが検出された場合に、固体光源１１１から出射される光を遮光する遮光部を構成する。
【０１０６】
［変更例２］
以下において、第１実施形態の変更例２について説明する。以下においては、第１実施形態との相違点について主として説明する。
【０１０７】
具体的には、第１実施形態では、電力制御部７４０が遮光部を構成する。これに対して、変更例２では、アイリス機構が遮光部を構成する。
【０１０８】
図８に示すように、固体光源１１１から出射される光の光路上には、アイリス機構８００が設けられている。アイリス機構８００は、センサ６００の検出範囲に物が入ったことを示す情報が取得された場合に、固体光源１１１から出射される光を遮光する。
【０１０９】
このように、変更例２では、アイリス機構８００は、検出範囲に物体が入ったことが検出された場合に、固体光源１１１から出射される光を遮光する遮光部を構成する。
【０１１０】
なお、アイリス機構８００は、センサ６００の検出結果によって制御されることは勿論である。アイリス機構８００は、上述する制御ユニット７００によって制御されてもよい。固体光源１１１から出射される光の光路上であれば、アイリス機構８００が設けられる位置は、任意である。
【０１１１】
［第２実施形態］
以下において、第２実施形態について、図面を参照しながら説明する。以下においては、第１実施形態との相違点について主として説明する。
【０１１２】
具体的には、第１実施形態では、投写型映像表示装置１００が壁面に設けられた投写面３００に映像光を投写するケースについて例示した。これに対して、第２実施形態では、投写型映像表示装置１００が床面に設けられた投写面３００に映像光を投写するケースについて例示する（床面投写）。このようなケースにおける筐体２００の配置を床面投写配置と称する。
【０１１３】
（投写型映像表示装置の構成）
以下において、第２実施形態に係る投写型映像表示装置の構成について、図面を参照しながら説明する。図９は、第２実施形態に係る投写型映像表示装置１００を側方から見た図である。
【０１１４】
図９に示すように、投写型映像表示装置１００は、床面に設けられた投写面３００に映像光を投写する（床面投写）。第２実施形態では、投写面３００と略平行な第１配置面は床面４１０である。第１配置面に略垂直な第２配置面は壁面４２０である。
【０１１５】
第２実施形態では、投写面３００に平行な水平方向を“幅方向”と称する。投写面３００の法線方向を“高さ方向”と称する。幅方向及び高さ方向の双方に直交する方向を“奥行き方向”と称する。
【０１１６】
第２実施形態では、筐体２００は、第１実施形態と同様に、略直方体形状を有する。奥行き方向における筐体２００のサイズ及び高さ方向における筐体２００のサイズは、幅方向における筐体２００のサイズよりも小さい。高さ方向における筐体２００のサイズは、反射ミラー（図２に示す凹面ミラー１５２）から投写面３００までの投写距離と略等しい。幅方向において、筐体２００のサイズは、投写面３００のサイズと略等しい。奥行き方向において、筐体２００のサイズは、壁面４２０から投写面３００までの距離に応じて定められる。
【０１１７】
投写面側側壁２１０は、投写面３００と略平行な第１配置面（第２実施形態では、床面４１０）と対向する板状の部材である。前面側側壁２２０は、投写面側側壁２１０の反対側に設けられた板状の部材である。天板２４０は、底面板２３０の反対側に設けられた板状の部材である。底面板２３０は、投写面３００と略平行な第１配置面以外の第２配置面（第２実施形態では、壁面４２０）と対向する板状の部材である。第１側面側側壁２５０及び第２側面側側壁２６０は、幅方向において筐体２００の両端を形成する板状の部材である。
【０１１８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１９】
第１実施形態では、筐体２００が配置される壁面４２０上に投写面３００が設けられるが、実施形態はこれに限定されるものではない。投写面３００は、筐体２００から離れる方向において、壁面４２０よりも奥まった位置に設けられてもよい。
【０１２０】
第２実施形態では、筐体２００が配置される床面４１０上に投写面３００が設けられるが、実施形態はこれに限定されるものではない。投写面３００は、床面４１０よりも低い位置に設けられてもよい。
【０１２１】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、透過型の液晶パネルであってもよく、反射型の液晶パネルであってもよい。
【０１２２】
実施形態では特に説明していないが、センサ６００の検出範囲は、底面板２３０が配置される配置面の法線方向において、筐体２００のサイズと略等しい範囲を含んでもよい。
【０１２３】
第１実施形態では、センサ６００Ａ及びセンサ６００Ｂの検出範囲は、筐体２００に相当する範囲を含むが、実施形態は、これに限定されるものではない。センサ６００Ａ及びセンサ６００Ｂの検出範囲は、筐体２００に相当する範囲を含まずに、筐体２００の両側壁から所定範囲のみを含んでもよい。
【０１２４】
実施形態では、センサ６００Ａ及びセンサ６００Ｂは、筐体２００の両側壁に設けられているが、実施形態は、これに限定されるものではない。センサ６００は、ケーブル端子１９０が設けられた側壁のみに設けられていてもよい。また、ケーブル端子１９０は、筐体２００の両側壁に設けられていてもよい。
【符号の説明】
【０１２５】
１０…ロッドインテグレータ、２１〜２３…レンズ、３１〜３５…ミラー、４０…レンズ、５０…プリズム、６０…プリズム、７０…プリズム、８０…プリズム、９０…プリズム、１００…投写型映像表示装置、１１０…光源ユニット、１１１…固体光源、１１２…ヘッド、１１３…光ファイバー、１１４…バンドル部、１２０…電源ユニット、１３０…冷却ユニット、１３１…冷却ジャケット、１４０…色分離合成ユニット、１４１…第１ユニット、１４２…第２ユニット、１５０…投写ユニット、１５１…投写レンズ群、１５２…凹面ミラー、１６０…投写面側凹部、、１７０…前面側凸部、１８０…天板凹部、１８１…傾斜面、１９０…ケーブル端子、２００…筐体、２１０…投写面側側壁、２２０…前面側側壁、２３０…底面板、２４０…天板、２５０…第１側面側側壁、２６０…第２側面側側壁、３００…投写面、４１０…床面、４２０…壁面、５００…ＤＭＤ、６００・・・センサ、７００・・・制御ユニット、７１０・・・映像信号受付部、７２０・・・素子制御部、７３０・・・取得部、７４０・・・電力制御部、８００・・・アイリス機構
【図１】
2010230897.tif 000003
【図２】
2010230897.tif 000004
【図３】
2010230897.tif 000005
【図４】
2010230897.tif 000006
【図５】
2010230897.tif 000007
【図６】
2010230897.tif 000008
【図７】
2010230897.tif 000009
【図８】
2010230897.tif 000010
【図９】
2010230897.tif 000011